(57)【要約】【課題】ダイヤモンドスクライバのダイヤチップをケガキ線方向にその稜線を合致させて保持すると共にケガキ線作業の初期におけるダイヤモンドチップと被加工物との急激な接触を防止して高精度のケガキ線形成とダイヤモンドチップの寿命の向上を図るシールド構造付スクライバ保持具を提供する。【解決手段】ダイヤモンドスクライバ３は半硬質材のシールド部材１により全外周又は半外周を覆われている。このシールド部材１はダイヤモンドスクライバ３のケガキ線方向に配置されると共にその先端は被加工物８の表面に当接又は圧接し得る形状のものからなる。ケガキ線作業時においてシールド部材１が被加工物８の表面に当接することによりダイヤモンドチップ５に直接大きな力が作用することが防止される。【選択図】図１
0003118973.tif 000002
【実用新案登録請求の範囲】
【請求項１】
先端にダイヤモンドチップを有するダイヤモンドスクラバをその稜線をケガキ線方向に向けて保持すると共に、ケガキ線作業時において前記ダイヤモンドスクライバと被加工物との接触を防止すべく構成されるシールド構造付スクライバ保持具であって、該保持具は、前記ダイヤモンドスクライバのダイヤモンドチップ周りに前記ダイヤモンドチップを保護するシールド部材を設け、該シールド部材は少なくともダイヤモンドチップのケガキ線方向側を覆うと共にその先端が前記被加工物の表面側に当接する形状のものからなることを特徴とするシールド構造付スクライバ保持具。
【請求項２】
前記シールド部材が、前記ダイヤモンドスクライバの全外周又は半外周を覆う半硬質材からなることを特徴とするシールド構造付スクライバ保持具。
【考案の詳細な説明】
【技術分野】
【０００１】
本考案は、ガラス、セラミックス、金属酸化物、金属窒化物等の結晶体もしくは多結晶体やアモルファス体等の固体状部材を切断する処理において前記材料にケガキ線を形成するために用いられるスクライバ保持具に係り、特にケガキ線作業においてダイヤモンドスクライバのダイヤモンドチップを保護する簡便構造のシールド構造付スクライバ保持具に関する。
【背景技術】
【０００２】
各種の機能性を有するガラス、セラミックス、金属酸化物、金属窒化物等の結晶体もしくは多結晶体、アモルファス体等の材料は様々な目的に広範囲に利用されている。一例として、液晶ディスプレス等の電子技術を応用した各種製品や、高機能センサ等の各種製品や電子デバイス製造プロセスにおける各種部材や光通信システムなどの通信技術材料等が挙げられる。以上の製品は前記のように様々な材料から作られているが、特にガラス、セラミックス、金属酸化物、金属窒化物等の板材料を効率よく利用するには、これ等の材料を高精度に切断処理することが必要となる。
【０００３】
板状材料の切断処理においては、予めケガキ線を形成し、このケガキ線を用いて材料の切断処理することが一般に行われている。このケガキ線を形成するためにダイヤモンドチップを先端部に有するダイヤモンドスクライバが用いられ、このダイヤモンドスクライバをその稜線をケガキ線方向に正しく位置決め保持するスクライバ保持具が用いられている。
【０００４】
ダイヤモンドスクライバを正しく保持するためには通常可成り複雑な保持具が必要であり、かつケガキ線作業時においてダイヤモンドスクライバに印加される力を制御して高精度のケガキ線作業の実施やダイヤモンドスクライバの損傷を防止する手段が必要となる。以上の機能を有する保持具の公知技術として、例えば、「特許文献１」が挙げられる。
【特許文献１】特開２００３−２８２４８３号公報（請求項１乃至４及び図６）
【考案の開示】
【考案が解決しようとする課題】
【０００５】
「特許文献１」の特開２００３−２８２４８３号公報の「スクライバーシャンクの装填方法及びシステム」によれば、ダイヤモンドスクライバをその稜線をケガキ線方向に精密に配置することができるが、この保持具は複雑な構造からなり、位置決め作業や印加力の制御作業が面倒であり、これ等の機構も複雑なものからなり高価なものとなる。
【０００６】
一方、ケガキ線作業時においてその初期状態においてはダイヤモンドチップと被加工物とが急激に接触する現象が生ずる。前記の公知技術のスクライバ保持具においても例外がなく、被加工物との急激な接触が生ずる。ダイヤモンドチップは超硬質のものであるが衝撃力に対しては弱く、前記の急激な接触が生ずると損傷の恐れがあると共に損傷しないまでもケガキ線を高精度に形成できなくなる問題点も生ずる。また、ダイヤモンドチップの寿命も極端に短くなる問題点がある。
【０００７】
本考案は、以上の問題点を解決するものであり、ダイヤモンドスクライバを安定保持すると共に被加工物との急激な接触を防止し、高精度のケガキ線の形成と高寿命化を図る簡便で比較的安価に実施できるシールド構造付スクライバ保持具を提供することを目的とする。
【課題を解決するための手段】
【０００８】
本考案は、以上の目的を達成するために、請求項１の考案は、先端にダイヤモンドチップを有するダイヤモンドスクラバをその稜線をケガキ線方向に向けて保持すると共に、ケガキ線作業時において前記ダイヤモンドスクライバと被加工物との接触を防止すべく構成されるシールド構造付スクライバ保持具であって、該保持具は、前記ダイヤモンドスクライバのダイヤモンドチップ周りに前記ダイヤモンドチップを保護するシールド部材を設け、該シールド部材は少なくともダイヤモンドチップのケガキ線方向側を覆うと共にその先端が前記被加工物の表面側に当接する形状のものからなることを特徴とする。
【０００９】
また、請求項２の考案は、前記シールド部材が、前記ダイヤモンドスクライバの全外周又は半外周を覆う半硬質材からなることを特徴とする。
【考案の効果】
【００１０】
本考案の請求項１のシールド構造付スクライバ保持具によれば、ダイヤモンドスクライバのダイヤモンドチップが少なくともケガキ線方向をシールド部材で覆われ、シールド部材が被加工物の表面に当接する構造からなるため、ケガキ線作業の初期におけるダイヤモンドチップと被加工物との急激な接触が防止される。これにより、高精度のケガキ線の形成ができ、ダイヤモンドチップの高寿命化が図れる。また、シールド部材はダイヤモンドスクライバの全外周や半外周を覆うだけのものであり、構造簡便で安価に実施することができる。
【００１１】
また、請求項２のシール構造付スクライバ保持具によれば、シールド部材は半硬質材からなりダイヤモンドチップや被加工物に大きな力が作用せず、高精度と高寿命の効果を上げることができる。
【考案を実施するための最良の形態】
【００１２】
以下、本考案のシールド構造付スクライバ保持具の実施の形態を図面を参照して詳述する。
図１は本考案に係るシールド構造付スクライバ保持具２と、これに斜めに保持されるダイヤモンドスクライバ３と、後に詳しく説明するシールド部材１と、ダイヤモンドスクライバ３やシール部材１の取り付けられているシールド構造付スクライバ保持具２をケガキ線方向（（図１（ｂ））に移動させるための把持手段４等とからなる。なお、ダイヤモンドスクライバ３はこの先端にダイヤモンドチップ５を形成するものからなり、このダイヤモンドチップ５は図４に示すようにその稜線６をケガキ線方向（Ｘ方向）に合致するように位置決めされる。
【００１３】
本考案の主要構成部材であるシールド部材の構造やその配置等を説明する前に、図５によりスクライバ保持具の概要構造を説明する。スクライバ保持具はダイヤモンドスクライバ３を斜めに保持する移動側保持具本体２ａとこれを弾性支持して案内する固定側保持具本体２ｂとからなり、移動側保持具本体２ａにはダイヤモンドスクライバ３のその先端のダイヤモンドチップ５をケガキ線方向にその稜線６（図４）を合致させて固定具７により固持されている。ケガキ線形成時にはダイヤモンドチップ５が被加工物８（図１）に圧接されると共に弾性支持され高精度のケガキ線形成が行われる。
【実施例１】
【００１４】
図２（ａ），（ｂ）はシールド部材１を有するシールド構造付スクライバ保持具２の概要構造を示す。この場合、シールド部材１は、例えば、ゴム材やプラスチック材からなるチューブ状のものからなり、ダイヤモンドスクライバ３の全外周を覆ったものからなる。即ち、移動側保持具本体２ａにダイヤモンドスクライバ３の挿入される保持孔と同心のやや大径の孔９を設け、この孔９にチューブ状のシールド部材１をそうに有すると共にそのシールド部材１内にダイヤモンドスクライバ３を挿入し、これ等を図略の固定具により固定するものからなる。この場合、図示のようにシールド部材１の先端は被加工物８の表面に当接する形態のものからなる。
以上の構造により、シールド構造付スクライバ保持具２で被加工物８にケガキ線を形成する場合にシールド部材１の先端が被加工物８の表面に当接した状態でダイヤモンドチップ５の稜線６が被加工物に圧接するためダイヤモンドチップ５が保護され、結果として高精度のケガキ線を形成することができる。
【実施例２】
【００１５】
図２の実施例１のシールド構造付スクライバ保持具２の場合にはチューブ状のシールド部材１が採用されたが、この実施例ではダイヤモンドスクライバ３の半外周を覆うシールド部材１ａが用いられている。この場合にもシールド部材１ａの先端は被加工物８の表面に当接すべく形成される。なお、このシールド部材１はダイヤモンドスクライバ３のケガキ線作成方向において半円周被覆するものである。以上により、前記実施例１のシールド構造付スクライバ保持具の場合とほぼ同一の保護効果を上げることができる。
【産業上の利用可能性】
【００１６】
本考案のシールド構造付スクライバ保持具は前記材料のケガキ線形成に用いられるものに限らずその他の材料にも適用され、同一技術的範疇のものに対しても適用可能でありその利用範囲は広い。
【図面の簡単な説明】
【００１７】
【図１】本考案のシールド構造付スクライバ保持具の使用時の状態を示す模式図（ａ）とダイヤモンドスクライバとシールド部材との係合状態及び被加工物との係合状態を示す部分拡大模式図（ｂ）。
【図２】本考案のシールド構造付スクライバ保持具の概要構造を示す部分断面平面図（ａ）及び図２（ａ）のＡ矢視上面図（ｂ）。
【図３】本考案のシールド構造付スクライバ保持具の他の実施例の概要構造を示す部分断面平面図（ａ）及び図３（ａ）のＢ矢視上面図（ｂ）。
【図４】ダイヤモンドチップの先端形状を示す拡大上面図。
【図５】本考案のスクライバ保持具の概要構造を示す軸断面図。
【符号の説明】
【００１８】
１    シールド部材
１ａ  シールド部材
２    シールド構造付スクライバ保持具
２ａ  移動側保持具本体
２ｂ  固定側保持具本体
３    ダイヤモンドスクライバ
４    把持手段
５    ダイヤモンドチップ
６    稜線
７    固定具
８    被加工物
９    孔
【図１】
0003118973.tif 000003
【図２】
0003118973.tif 000004
【図３】
0003118973.tif 000005
【図４】
0003118973.tif 000006
【図５】
0003118973.tif 000007
【手続補正書】
【提出日】平成17年8月17日(2005.8.17)
【手続補正１】
【補正対象書類名】実用新案登録請求の範囲
【補正対象項目名】請求項２
【補正方法】変更
【補正の内容】
【請求項２】
前記シールド部材が、前記ダイヤモンドスクライバの全外周又は半外周を覆う半硬質材からなることを特徴とする請求項１に記載のシールド構造付スクライバ保持具。